(57)【特許請求の範囲】
【請求項１】
カップ式飲料自動販売機の機内にセットし、販売後にベンドステージに放置された飲料入りカップを機内側に回収して投棄するための排水バケツであり、バケツの上面中央に、左右一対の取付金具の間に架け渡した可倒式の取っ手を備えたカップ式飲料自動販売機用の排水バケツにおいて、起立姿勢に立っている取っ手を倒置姿勢に向けて畳み込むように蹴り出すばね付勢式の取っ手倒し手段を備えたことを特徴とするカップ式飲料自動販売機用の排水バケツ。
【請求項２】
請求項１記載の排水バケツにおいて、取っ手倒し手段が、取付金具に取付けて起立姿勢の取っ手を倒置方向へ背後から押し出し付勢する板ばねであることを特徴とするカップ式飲料自動販売機用の排水バケツ。
【請求項３】
請求項２記載の排水バケツにおいて、板ばねを左右いずれか一方の取付金具に設け、他方の取付金具で取っ手の起立角度を規制して板バネの撓み代を制限するようにしたことを特徴とするカップ式飲料自動販売機用の排水バケツ。
【発明の詳細な説明】
【０００１】
【発明の属する技術分野】
本発明は、カップ式飲料自動販売機に搭載した排水バケツに関し、特に排水バケツに設けた取っ手機構に係わる。
【０００２】
【従来の技術】
まず、本発明の実施対象となるカップ式飲料自動販売機を図２に示す。図において、１は自動販売機の本体ケース、２は前面扉、３は前面扉に備えた開閉扉付きのベンドステージ、４は機内のカップ搬送機構であり、販売時には機内で調製した飲料をカップ５に供給した上で、前記のカップ搬送機構４のハンド４ａがカップ５を把持してベンドステージ３に送出する。
【０００３】
ところで、販売時にベンドステージ３に送出された飲料入りカップ５を客が取り出さずに放置したままの状態になると、ベンドステージ３に取り残されたカップ５が次回の販売動作の障害物となる。そこで、販売終了後に所定の時間を経過してもベンドステージ３にカップ５が残っている場合には、カップ搬送機構４がベンドステージ３にアクセスしてベンドステージに残っているカップ５を機内側に回収した上で、あらかじめ機内にセットしておいた排水バケツ６の中に投棄するようにしている。なお、７は排水バケツ６の上方位置に設けたカップ投下用の案内シュータである。
【０００４】
次に、前記した排水バケツ６の従来構造を図３（ａ），（ｂ）に示す。すなわち、排水バケツ６の上面中央には、左右一対の取付金具８の間に跨がって可倒式の取っ手９が架設されている。ここで、取付金具８はバケツ６の左右側壁に取付けたＵ字形の金具であってその中央辺の後部側に軸穴が開いており、この軸穴へ金属棒材で作られた取っ手９の両端部に屈曲形成したフック部９ａを差し込んで可倒自在に係止支持している。かかる構成で、取っ手９を前面側（矢印Ｐ方向）に倒すと取っ手９が倒置姿勢に畳まれ、逆に取っ手９を倒置位置から引き出して起立させると、フック部９ａの先端切り口が取付金８の後壁に当たって取っ手９が若干後傾した起立姿勢に保持される。
【０００５】
【発明が解決しようとする課題】
ところで、前記排水バケツ６を図２で表すように機内にセットした際に、取っ手９を手前に倒さずに起立姿勢に立てたままの状態で自動販売機の販売を再開すると、次記のようなトラブルが発生する。すなわち、販売時にベンドステージ３に取り残された飲料入りカップ５を回収するようにカップ搬送機構４が引出した後、シュータ７の直上位置でハンド７を開いてカップ５を下方に落とすと、カップ５が落下の途中で起立している取っ手９に衝突して排水バケツ６の外に飛び出してしまい、カップ内に入っていた飲料が機内にこぼれ落ちて周辺を汚損すると言ったトラブルを引き起こす。
【０００６】
そこで、このようなカップ飛び出しのトラブルを避けるには、排水バケツ６を機内にセットする際に、作業者は取っ手９を手前側に倒して倒置姿勢に畳み込む必要がある。しかしながら、人手に頼ったのでは排水バケツ６の取っ手９を手前に倒し忘れることがあるために、何らかの対策が必要となる。
本発明は上記の点にかんがみなされたものであり、その目的は前記課題を解決し、排水バケツを機内に搬入，セットする際に、その取っ手を起立姿勢に立てたまま手を離した際に、取っ手を自動的に押し倒して倒置姿勢に畳み込むような手段を備えたカップ式飲料自動販売機用の排水バケツを提供することにある。
【０００７】
【課題を解決するための手段】
上記目的を達成するために、本発明の排水バケツでは、起立姿勢に立っている取っ手を倒置姿勢に向けて畳み込むように蹴り出すばね付勢式の取っ手倒し手段を備えるものとし、具体的には取っ手倒し手段を、取付金具に取付けて起立姿勢の取っ手を倒置方向へ背後から押し出し付勢する板ばねで構成する。
【０００８】
また、取っ手を起立姿勢に立てた状態で板ばねを撓ませる方向（図示矢印Ｐと反対方向）に力が加えても、板ばねが過度に屈曲してばね機能が低下するのを防ぐために、この板ばねを左右いずれか一方の取付金具に設け、他方の取付金具で取っ手の起立角度を規制して板バネの撓み代を制限するように構成するのがよい。
【０００９】
上記の構成により、排水バケツの取っ手を起立姿勢に引出すと、取っ手に押された板ばねが撓んでばね力を蓄勢するようになる。そこで、取っ手を手に持って排水バケツを機内に搬入，セットした後、取っ手を手前に倒さずに手を離すと、板ばねの蓄勢ばね力が起立姿勢に立っている取っ手を前方へ倒すように背後から蹴り出す。これにより、取っ手は自動的に倒置姿勢に畳まれるようになるので、先記のようにベンドステージから回収した飲料入りカップを排水バケツに投棄する際の落下途中で、カップが起立している取っ手に衝突してバケツの外に飛び出すといったトラブルを回避できる。
【００１０】
また、取付金具で取っ手の回動範囲，つまり板ばねの撓み代を制限することで、板ばねが過度に圧縮方向へ押し込まれることがないよう保護できる。
【００１１】
【発明の実施の形態】
以下、本発明の実施例を図１（ａ）〜（ｄ）に基づいて説明する。なお、実施例の図中で図３に対応する同一部材には同じ符号が付してある。
すなわち、図示実施例の取っ手機構は基本的に図３と同様であるが、起立姿勢に立っている取っ手９を前方へ強制的に押し倒す手段として、左右一対の取付金具８Ｌ，８Ｒのうちの左側の取付金具８Ｌには、起立姿勢の取っ手９を矢印Ｐ方向に押し出す板ばね１０が取付けられている。この板ばね１０は図１（ｄ）のような形状に板金加工して作られており、その先端部１０ａをＵ字形になる取付金具８Ｌの内側に突き出して取っ手９のフック部９ａに背後から押し当てるようにして、取付基部１０ｂが取付金具８Ｌと一緒に排水バケツ６の側壁に共締めされている。
【００１２】
また、右側の取付金具８Ｒの後壁８ａと左側の取付金具８Ｌの後壁との間には寸法差Ａが設定されており、この後壁８ａをストッパとして取っ手９の起立角を規制している。これにより、取っ手９を矢印Ｐと反対方向へ回して板ばね１０を圧縮方向へ押し込んでも、板ばね１０が過度に屈曲する以前に取っ手９が前記後壁８ａに当たってそれ以上の動きが阻止されるので、板ばね１０が過度に折れ曲がってばね機能が低下するのを防止できる。なお、前記のように右側の取付金具８Ｒの後壁８ａと左側の取付金具８Ｌの後壁との間には寸法差Ａが設定する代わりに、右側の取付金具８Ｒに係合した取っ手９のフック部９ａを後方へ若干ひねることでも同様な効果が得られる。
【００１３】
かかる構成において、取っ手９に手を掛けて起立姿勢に立てると、板ばね１０が撓んでばね力を蓄勢する。そして、排水バケツ６を自動販売機の機内に搬入，セットした後に取っ手９から手を離すと、図１（ｃ）で表すように、板ばね１０の蓄勢ばね力Ｆにより起立した取っ手９を矢印Ｐ方向に蹴り出す。これにより、取っ手９は前方へ強制的に押し倒されて倒置姿勢に畳まれる。
【００１４】
したがって、図２で述べたように機内にセットした排水バケツ６の取っ手９が起立したままで、カップ搬送機構４から投下して排水バケツ６に回収する飲料入りカップ５がその落下途中で取っ手９に衝突してバケツの外に飛び出すといったトラブルを未然に回避できる。
【００１５】
【発明の効果】
以上述べたように、本発明の構成によれば、排水バケツの取っ手を起立姿勢から倒置姿勢に押し倒すばね付勢式の取っ手倒し手段を設けたことにより、取っ手を掴んで排水バケツを自動販売機の機内に搬入，セットした後に手を離すと、取っ手は板ばねに付勢されて起立姿勢から前方に押し倒されて倒置姿勢に畳まれる。これにより、自動販売機のベンドステージに放置されている飲料入りカップを機内側に回収して排水バケツに投棄する際の落下途中で、カップが起立した取っ手に衝突してバケツの外に飛び出し、飲料がこぼれ落ちて機内を汚損するといってトラブルを回避することができる。
【図面の簡単な説明】
【図１】本発明の実施例による排水バケツの構成図であり、（ａ）は排水バケツの上面図、（ｂ）は取っ手機構の斜視図、（ｃ）は取っ手の押し倒し動作の説明図、（ｄ）は板ばねの外形図
【図２】本発明の実施対象となる排水バケツを機内に備えたカップ式飲料自動販売機の構成図
【図３】従来における排水バケツの構成図であり、（ａ）は排水バケツ全体の外観斜視図、（ｂ）はバケツに備えた取っ手機構の斜視図
【符号の説明】
６    排水バケツ
８Ｌ，８Ｒ  取っ手の取付金具
９    取っ手
１０    板バネ（取っ手倒し手段）
【図１】
0003572786.tif 000002
【図２】
0003572786.tif 000003
【図３】
0003572786.tif 000004